(57)【要約】【課題】最適な機能またはサービスを提供することができ、車両乗車時の利便性を向上することができる車載機器制御システムを提供すること。【解決手段】乗車位置に応じた乗車位置情報の記憶及び乗車位置に応じた携帯端末装置への乗車位置情報の送信を行う乗車位置情報通知装置１１０ａと、乗車位置に応じた乗車位置情報通知装置からの乗車位置情報の受信、携帯端末装置に応じた端末所有者情報の記憶並びに車載機器制御装置への乗車位置情報及び端末所有者情報の送信を行う携帯端末装置１２０と、携帯端末装置からの乗車位置情報及び端末所有者情報の受信並びに受信した乗車位置情報及び端末所有者情報に応じた車載機器の制御を行う車載機器制御装置１３０とを備える。【選択図】図１
2006352409.tif 000002
【特許請求の範囲】
【請求項１】
乗車位置に対応づけられた乗車位置情報通知装置と、
携帯端末装置と、
車載機器制御装置と、を備え、
前記乗車位置情報通知装置が、
前記乗車位置に応じた乗車位置情報を記憶する乗車位置情報記憶部と、
前記携帯端末装置に前記乗車位置情報を送信する狭範囲無線通信部と、を有し、
前記携帯端末装置が、
前記乗車位置情報通知装置からの前記乗車位置情報を受信する狭範囲無線通信部と、
端末所有者情報を記憶する端末所有者情報記憶部と、
前記車載機器制御装置に前記乗車位置情報及び前記端末所有者情報を送信する無線通信部と、を有し、
前記車載機器制御装置が、
前記携帯端末装置からの前記乗車位置情報及び前記端末所有者情報を受信する無線通信部と、
受信した前記乗車位置情報及び前記端末所有者情報に応じて車載機器を制御する車載機器制御部と、を有することを特徴とする車載機器制御システム。
【請求項２】
前記携帯端末装置が、
受信した前記乗車位置情報に応じて自己のアプリケーションプログラムを制御するアプリケーションプログラム制御部を有することを特徴とする請求項１記載の車載機器制御システム。
【請求項３】
車載機器を制御する車載機器制御装置で利用するための乗車位置に応じた乗車位置情報を記憶する乗車位置情報記憶部と、
前記車載機器制御装置で利用するために前記乗車位置情報を携帯端末装置に送信する狭範囲無線通信部と、を有することを特徴とする乗車位置情報通知装置。
【請求項４】
請求項３記載の乗車位置情報通知装置からの前記乗車位置情報を受信する狭範囲無線通信部と、
端末所有者情報を記憶する端末所有者情報記憶部と、
前記乗車位置情報及び前記端末所有者情報を車載機器制御装置に送信する無線通信部と、を有することを特徴とする携帯端末装置。
【請求項５】
受信した前記乗車位置情報に応じてアプリケーションプログラムを制御するアプリケーションプログラム制御部を有することを特徴とする請求項４記載の携帯端末装置。
【請求項６】
請求項４記載の携帯端末装置からの前記乗車位置情報及び前記端末所有者情報を受信する無線通信部と、
受信した前記乗車位置情報及び前記端末所有者情報に応じて車載機器を制御する車載機器制御部と、を有することを特徴とする車載機器制御装置。
【請求項７】
携帯端末装置と、
乗車位置に対応づけられた乗車位置情報通知装置と、
車載機器制御装置と、を備え、
前記携帯端末装置が、
端末所有者情報を記憶する端末所有者情報記憶部と、
前記乗車位置情報通知装置に前記端末所有者情報を送信する狭範囲無線通信部と、を有し、
前記乗車位置情報通知装置が、
前記乗車位置に応じた乗車位置情報を記憶する乗車位置情報記憶部と、
前記乗車位置に応じた前記携帯端末装置からの端末所有者情報を受信する狭範囲無線通信部と、
前記乗車位置情報及び前記端末所有者情報を車載機器制御装置に送信する通信部と、を有し、
前記車載機器制御装置が、
前記乗車位置情報通知装置からの前記乗車位置情報及び前記端末所有者情報を受信する通信部と、
前記乗車位置情報及び前記端末所有者情報に応じて車載機器を制御する車載機器制御部と、を有することを特徴とする車載機器制御システム。
【請求項８】
前記車載機器制御装置が、
前記携帯端末装置に乗車位置情報を送信する無線通信部を有し、
前記携帯端末装置が、
前記車載機器制御装置からの前記乗車位置情報を受信する無線通信部と、
受信した前記乗車位置情報に応じて自己のアプリケーションプログラムを制御するアプリケーションプログラム制御部と、を有することを特徴とする請求項７記載の車載機器制御システム。
【請求項９】
乗車位置に応じた乗車位置情報を記憶する乗車位置情報記憶部と、
携帯端末装置からの端末所有者情報を受信する狭範囲無線通信部と、
前記乗車位置情報及び前記端末所有者情報を車載機器制御装置に送信する通信部と、を有することを特徴とする乗車位置情報通知装置。
【請求項１０】
請求項９記載の乗車位置情報通知装置からの前記乗車位置情報及び前記端末所有者情報を受信する通信部と、
前記乗車位置情報及び前記端末所有者情報に応じて車載機器を制御する車載機器制御部と、を有することを特徴とする車載機器制御装置。
【請求項１１】
前記携帯端末装置に乗車位置情報を送信する無線通信部を有することを特徴とする請求項１０記載の車載機器制御装置。
【請求項１２】
端末所有者情報を記憶する端末所有者情報記憶部と、
請求項９記載の乗車位置情報通知装置に前記端末所有者情報を送信する狭範囲無線通信部と、を有することを特徴とする携帯端末装置。
【請求項１３】
請求項１０記載の車載機器制御装置からの前記乗車位置情報を受信する無線通信部と、
受信した前記乗車位置情報に応じて自己のアプリケーションプログラムを制御するアプリケーションプログラム制御部と、を有することを特徴とする請求項１２記載の携帯端末装置。
【発明の詳細な説明】
【技術分野】
【０００１】
本発明は、車載機器制御システム、乗車位置情報通知装置、携帯端末装置及び車載機器制御装置に関し、特に乗車位置情報通知装置及び携帯端末装置が狭範囲無線通信部を有する車載機器制御システム、乗車位置情報通知装置、携帯端末装置及び車載機器制御装置に関するものである。
【背景技術】
【０００２】
従来、携帯機器と車載機器とを有する車両無線データシステムにおいて、車両を利用しているユーザに応じて車載機器の制御を行うものがある。
【０００３】
例えば特許文献１には、無線データ通信手段とネットワーク確立用符号を格納した記憶手段とを有する携帯機器と、無線データ通信手段と前記ネットワーク確立用符号に対応するネットワーク確立用符号を格納した記憶手段とを有する車載機器とを備え、携帯機器が車載機器の通信可能距離以内に近接した場合、問い合わせ通信によりネットワーク確立用符号の照合を行い、それが一致した場合、無線リンクを確立して、車載機器側をアクティブ状態とする車両無線データシステムが開示されている。
【０００４】
この車両無線データシステムによれば、盗難防止、ハンズフリー電話機能、ＰＤＡデータ共有機能、自動料金支払い機能、カスタム動作、運行管理データ記録等の自動化が可能であり、利便性の高いシステムを提供することが可能である。
【特許文献１】特開２００１−２１８２６２号公報
【発明の開示】
【発明が解決しようとする課題】
【０００５】
しかしながら、特許文献１に記載された従来の車両無線データシステムにおいては、特定のユーザが車両を利用していることのみを認識するものであり、そのユーザがどの乗車位置に乗車しているかを考慮した機能またはサービスは提供されないため、ユーザが意識して車載機器の制御を行わなければならないという課題があった。
【０００６】
本発明は、ユーザが意識して車載機器の制御を行うことなく、最適な機能またはサービスを提供することができ、車両乗車時の利便性を向上した車載機器制御システム、乗車位置情報通知装置、携帯端末装置及び車載機器制御装置を提供するものである。
【課題を解決するための手段】
【０００７】
本発明の車載機器制御システムは、乗車位置に対応づけられた乗車位置情報通知装置と、携帯端末装置と、車載機器制御装置とを備え、前記乗車位置情報通知装置が、前記乗車位置に応じた乗車位置情報を記憶する乗車位置情報記憶部と、前記携帯端末装置に前記乗車位置情報を送信する狭範囲無線通信部とを有し、前記携帯端末装置が、前記乗車位置情報通知装置からの前記乗車位置情報を受信する狭範囲無線通信部と、端末所有者情報を記憶する端末所有者情報記憶部と、前記車載機器制御装置に前記乗車位置情報及び前記端末所有者情報を送信する無線通信部とを有し、前記車載機器制御装置が、前記携帯端末装置からの前記乗車位置情報及び前記端末所有者情報を受信する無線通信部と、受信した前記乗車位置情報及び前記端末所有者情報に応じて車載機器を制御する車載機器制御部とを有する。
【０００８】
このような構成によって、乗車位置情報及び端末所有者情報に応じて最適な機能またはサービスを提供することができ、車両乗車時の利便性を向上することができる。
【０００９】
本発明の車載機器制御システムは、前記携帯端末装置が、受信した前記乗車位置情報に応じて自己のアプリケーションプログラムを制御するアプリケーションプログラム制御部を有する。
【００１０】
このような構成によって、車両乗車時の携帯端末装置の利便性を向上することができる。
【００１１】
本発明の乗車位置情報通知装置は、車載機器制御装置で利用するための乗車位置に応じた乗車位置情報を記憶する乗車位置情報記憶部と、前記車載機器制御装置で利用するために前記乗車位置情報を携帯端末装置に送信する狭範囲無線通信部とを有する。
【００１２】
このような構成によって、乗車位置情報に応じて最適な機能またはサービスを提供することができ、車両乗車時の利便性を向上した乗車位置情報通知装置を得ることができる。
【００１３】
本発明の携帯端末装置は、前記乗車位置情報通知装置からの前記乗車位置情報を受信する狭範囲無線通信部と、端末所有者情報を記憶する端末所有者情報記憶部と、前記乗車位置情報及び前記端末所有者情報を車載機器制御装置に送信する無線通信部とを有する。
【００１４】
このような構成によって、乗車位置情報及び端末所有者情報に応じて最適な機能またはサービスを提供することができ、車両乗車時の利便性を向上した携帯端末装置を得ることができる。
【００１５】
本発明の携帯端末装置は、受信した前記乗車位置情報に応じてアプリケーションプログラムを制御するアプリケーションプログラム制御部を有する。
【００１６】
このような構成によって、車両乗車時の携帯端末装置の利便性を向上することができる。
【００１７】
本発明の車載機器制御装置は、車載機器制御装置請求項４記載の携帯端末装置からの前記乗車位置情報及び前記端末所有者情報を受信する無線通信部と、受信した前記乗車位置情報及び前記端末所有者情報に応じて車載機器を制御する車載機器制御部とを有する。
【００１８】
このような構成によって、乗車位置情報及び端末所有者情報に応じて最適な機能またはサービスを提供することができ、車両乗車時の利便性を向上した車載機器制御装置を得ることができる。
【００１９】
本発明の車載機器制御システムは、携帯端末装置と、乗車位置に対応づけられた乗車位置情報通知装置と、車載機器制御装置とを備え、前記携帯端末装置が、端末所有者情報を記憶する端末所有者情報記憶部と、前記乗車位置情報通知装置に前記端末所有者情報を送信する狭範囲無線通信部とを有し、前記乗車位置情報通知装置が、乗車位置に応じた乗車位置情報を記憶する乗車位置情報記憶部と、前記乗車位置に応じた前記携帯端末装置からの端末所有者情報を受信する狭範囲無線通信部と、車載機器制御装置に前記乗車位置情報及び前記端末所有者情報を送信する通信部とを有し、前記車載機器制御装置が、前記乗車位置情報通知装置からの前記乗車位置情報及び前記端末所有者情報を受信する通信部と、前記乗車位置情報及び前記端末所有者情報に応じて車載機器を制御する車載機器制御部とを有する。
【００２０】
このような構成によって、乗車位置情報及び端末所有者情報に応じて最適な機能またはサービスを提供することができ、車両乗車時の利便性を向上することができる。
【００２１】
本発明の車載機器制御システムは、前記車載機器制御装置が、前記携帯端末装置に乗車位置情報を送信する無線通信部を有し、前記携帯端末装置が、前記車載機器制御装置からの前記乗車位置情報を受信する無線通信部と、受信した前記乗車位置情報に応じて自己のアプリケーションプログラムを制御するアプリケーションプログラム制御部とを有する。
【００２２】
このような構成によって、受信した乗車位置情報に応じて携帯端末装置のアプリケーションプログラムの制御が行えて、車両乗車時の利便性をさらに向上することができる。
【００２３】
本発明の乗車位置情報通知装置は、乗車位置に応じた乗車位置情報を記憶する乗車位置情報記憶部と、携帯端末装置からの端末所有者情報を受信する狭範囲無線通信部と、前記乗車位置情報及び前記端末所有者情報を車載機器制御装置に送信する通信部とを有する。
【００２４】
このような構成によって、乗車位置情報及び端末所有者情報に応じて最適な機能またはサービスを提供することができ、車両乗車時の利便性を向上した乗車位置情報通知装置を得ることができる。
【００２５】
本発明の車載機器制御装置は、前記乗車位置情報通知装置からの前記乗車位置情報及び前記端末所有者情報を受信する通信部と、前記乗車位置情報及び前記端末所有者情報に応じて車載機器を制御する車載機器制御部とを有する。
【００２６】
このような構成によって、乗車位置情報及び端末所有者情報に応じて最適な機能またはサービスを提供することができ、車両乗車時の利便性を向上した車載機器制御装置を得ることができる。
【００２７】
本発明の車載機器制御装置は、前記携帯端末装置に乗車位置情報を送信する無線通信部を有する。
【００２８】
このような構成によって、車両乗車時の携帯端末装置の利便性を向上した車載機器制御装置を得ることができる。
【００２９】
本発明の携帯端末装置は、端末所有者情報を記憶する端末所有者情報記憶部と、前記乗車位置情報通知装置に前記端末所有者情報を送信する狭範囲無線通信部とを有する。
【００３０】
このような構成によって、端末所有者情報に応じて最適な機能またはサービスを提供することができ、車両乗車時の利便性を向上した車載機器制御装置を得ることができる。
【００３１】
本発明の携帯端末装置は、前記車載機器制御装置からの前記乗車位置情報を受信する無線通信部と、受信した前記乗車位置情報に応じて自己のアプリケーションプログラムを制御するアプリケーションプログラム制御部とを有する。
【００３２】
このような構成によって、車両乗車時の携帯端末装置の利便性を向上した携帯端末装置を得ることができる。
【発明の効果】
【００３３】
本発明によれば、ユーザが意識して車載機器の制御を行うことなく、ユーザに最適な機能またはサービスを提供することができ、車両乗車時の利便性を向上することのできる車載機器制御システム、乗車位置情報通知装置、携帯端末装置及び車載機器制御装置が得られる。
【発明を実施するための最良の形態】
【００３４】
以下、本発明の実施の形態について、図面を参照しながら説明する。
【００３５】
（実施の形態１）
はじめに、本実施の形態１における車載機器制御システムの構成について、図１を用いて説明する。
【００３６】
図１に示すように、本実施の形態１における車載機器制御システム１００は、乗車位置に対応づけられた乗車位置情報通知装置１１０ａ、１１０ｂ、１１０ｃ、１１０ｄと、携帯端末装置１２０ａ、１２０ｂ、１２０ｃ、１２０ｄと、車載機器制御装置１３０とを有する。
【００３７】
乗車位置情報通知装置１１０ａ、１１０ｂ、１１０ｃ、１１０ｄは、具体的には、車両の乗車スペースに図３（ａ）に示すように配置され、座席３２０ａ、３２０ｂ、３２０ｃ、３２０ｄの各下に設けられている。
【００３８】
乗車位置情報通知装置１１０ａは、図２に示すように、座席３２０ａに応じた乗車位置情報１９１の記憶を行う乗車位置情報記憶部２１１と、ユーザの座席３２０ａ近傍への乗車を検出する乗車検出部２２０と、携帯端末装置１２０ａとの無線通信の確立を確認して座席３２０ａに応じた乗車位置情報１９１の送信を行う狭範囲無線通信部２１２とを有する。
【００３９】
また、乗車位置情報通知装置１１０ｂ、１１０ｃ、１１０ｄも乗車位置情報通知装置１１０ａと同じ構成を有する。
【００４０】
前述のように、乗車位置情報通知装置１１０ａが座席３２０ａの下に配置されるので、狭範囲無線通信部２１２も、座席３２０ａの下に配置されることになる。狭範囲無線通信部２１２は、ＲＦタグ等を利用しており、指向性を有し、例えば、上向きの指向性を有する。このとき、狭範囲無線通信部２１２の無線通信範囲３１０ａは、図３（ｂ）に示すように、座席３２０ａの上付近となる。このようなＲＦタグの配置及び指向性を利用することによって、狭範囲無線通信部２１２は、携帯端末装置１２０ａの狭範囲無線通信部４０１（図４参照）との無線通信と、ユーザの乗車位置に応じた乗車位置情報１９１の携帯端末装置１２０ａへの送信を行う。
【００４１】
同様に、乗車位置情報通知装置１１０ｂ、１１０ｃ、１１０ｄの狭範囲無線通信部も上向きの指向性を有し、無線通信範囲３１０ｂ、３１０ｃ、３１０ｄは、座席３２０ｂ、３２０ｃ、３２０ｄの各々の上付近となる。
【００４２】
以下では、乗車位置である座席３２０ａ（運転席）と、座席３２０ａに応じた乗車位置情報通知装置１１０ａと、座席３２０ａに応じた携帯端末装置１２０ａに着目して説明する。他の乗車位置に着目しても同様である。
【００４３】
図２において、乗車位置情報通知装置１１０ａの狭範囲無線通信部２１２は、携帯端末装置１２０ａの狭範囲無線通信部４０１（図４参照）との無線通信の確立を確認することによって、乗車位置情報通知装置１１０ａに対応するユーザの乗車位置への乗車を検出すると、その乗車位置に応じた乗車位置情報１９１を携帯端末装置１２０ａに送信する。
【００４４】
また、乗車検出部２２０は、感圧センサ等を利用する。乗車位置情報通知装置１１０ａが、座席３２０ａの下に埋め込まれて配置されるので、乗車検出部２２０も、座席３２０ａの下に配置されることになる。感圧センサが座席３２０ａの下に埋め込まれることによって、ユーザが乗車し、座席３２０ａに着席した時にその重さによって生ずる圧力を検出する。狭範囲無線通信部２１２のほかに乗車検出部２２０を有することによって、乗車の検出を二重に行うことができるので、車両の走行中等のノイズの多い場合でも、座席３２０ａに応じた乗車位置情報１９１の送信を携帯端末装置１２０ａに確実に行うことができる。なお、乗車検出部２２０は省略することもできる。
【００４５】
なお、乗車位置情報記憶部２１１と狭範囲無線通信部２１２は、図２に別々に構成した例を示しているが、同一のＬＳＩ等の部品内に納め、同一に構成してもよい。
【００４６】
図４に示すように、携帯端末装置１２０ａは、乗車位置情報通知装置１１０ａとの無線通信の確立を確認して、座席３２０ａに応じた乗車位置情報通知装置１１０ａからの乗車位置情報１９１の受信を行う狭範囲無線通信部４０１と、携帯端末装置１２０ａに応じた端末所有者情報の記憶を行う端末所有者情報記憶部４０２と、車載機器制御装置１３０への乗車位置情報１９１及び端末所有者情報１９２の送信を行う無線通信部４０３と、受信した乗車位置情報１９１の一時的な記憶を行う一時記憶部４０４と、照合情報の記憶を行う照合情報記憶部４０５と、照合情報記憶部４０５に記憶された照合情報を参照しつつ受信した乗車位置情報１９１に応じた携帯端末装置１２０ａのアプリケーションプログラムの制御を行うアプリケーションプログラム制御部４０６と、入力部４０７と、表示部４０８とを有する。
【００４７】
携帯端末装置１２０ａのアプリケーションプログラム制御部４０６は、受信した乗車位置情報１９１に応じた携帯端末装置のアプリケーションプログラムの制御だけでなく、受信した乗車位置情報１９１及び端末所有者情報記憶部４０２に記憶された端末所有者情報に応じた携帯端末装置１２０ａのアプリケーションプログラムの制御も行う。
【００４８】
また、携帯端末装置１２０ｂ、１２０ｃ、１２０ｄも携帯端末装置１２０ａと同じ構成を有する。
【００４９】
図１に示すように、車載機器制御装置１３０は、アンテナ１３１と、携帯端末装置１２０ａからの乗車位置情報及び端末所有者情報１９２の受信を行う無線通信部１３２と、照合情報の記憶を行う照合情報記憶部１３４と、照合情報記憶部１３４に記憶された照合情報を参照しつつ受信した乗車位置情報及び端末所有者情報１９２に応じて車載機器の制御を行う車載機器制御部１３５と、受信した乗車位置情報及び端末所有者情報１９２の一時的な記憶を行う一時記憶部１３６とを有する。
【００５０】
なお、車載機器制御装置１３０は、本実施の形態１では、車載機器群１５０とは異なるブロックとして説明したが、ハードウエアとしては、カーナビゲーションシステムに含まれるものであってもよい。
【００５１】
車載機器には、車載機器群１５０として総称する、エンジン制御装置１５１、車内環境制御装置１５２、後部乗車位置用入出力装置１５３、車載カメラ１５４、入出力装置１５５等が含まれる。
【００５２】
次に、車載機器制御システム１００の動作について、図５に示すシーケンス図を参照して説明する。
【００５３】
ユーザが車両の乗車位置に乗車すると、その乗車位置に応じた乗車位置情報通知装置１１０ａは、狭範囲無線通信部２１２と携帯端末装置１２０ａの狭範囲無線通信部４１０の無線通信の確立を確認したこと、又は乗車検出部２２０がユーザの重さによって生ずる圧力を検出したことで、ユーザのその乗車位置への乗車を検出する（ステップＳ５０１）。次に、乗車位置情報通知装置１１０ａは、狭範囲無線通信部２１２から、携帯端末装置１２０ａ宛てに乗車位置情報１９１を送信する（ステップＳ５０２）。次に、携帯端末装置１２０ａは、受信した乗車位置情報１９１に端末所有者情報を加えて、無線通信部４０３から、乗車位置情報及び端末所有者情報１９２を車載機器制御装置１３０宛てに送信する（ステップＳ５０３）。次に、携帯端末装置１２０ａは、アプリケーションプログラム制御部４０６で、照合情報記憶部４０５に記憶された照合情報を参照しつつ、受信した乗車位置情報１９１に応じてアプリケーションプログラムを制御する（ステップＳ５０４）。また、車載機器制御装置１３０は、車載機器制御部１３５で、照合情報記憶部１３４に記憶された照合情報を参照しつつ、受信した乗車位置情報及び端末所有者情報１９２に応じて車載機器群１５０の中の車載機器を制御する（ステップＳ５０５）。
【００５４】
車載機器制御システム１００の携帯端末装置１２０ａの照合情報記憶部４０５には、図６に示すように、乗車位置情報１９１に応じた起動アプリケーションプログラムを記憶させている。乗車位置情報１９１は、起動アプリケーションプログラムとして、例えば、運転席の場合には着呼時自動転送プログラムを、後部座席の場合には車載端末用リモコンプログラムを対応づけて記憶させる。
【００５５】
着呼時自動転送プログラムは、転送先を車載機器制御装置１３０の照合情報記憶部１３４に記憶された「運転者への着呼時転送登録」の制御により登録された携帯端末装置１２０ｂ、１２０ｃ、１２０ｄのいずれかに設定する。例えば、助手席に乗車した特定のユーザの携帯端末装置１２０ｂに設定する。これにより、乗車時に、ユーザが特別な操作を必要とせずに、運転者の携帯端末装置１２０ａへの着呼時に転送先の携帯端末装置１２０ｂ、１２０ｃ、１２０ｄのいずれかへの設定と転送機能の機動を完了し、ユーザの利便性を向上することができる。
【００５６】
車載端末用リモコンプログラムは、具体的には、入出力装置１５５又は後部座席用入出力装置１５３の一例である車載端末（カーナビゲーション、カーオーディオ等）のリモコン操作を行なうアプリケーションプログラムである。例えば、カーナビゲーションのリモコンは、十字キー等のカーソル操作用キーと決定・取り消しキー、及びいくつかの特定用途キーで構成されており、携帯端末の入力キーで十分代用できる。また、カーナビゲーション装置、カーオーディオ装置等の簡易な操作画面を携帯端末装置１２０ａの表示部４０８に表示する構成であってもよい。
【００５７】
なお、携帯端末装置１２０ａの照合情報記憶部４０５には、乗車位置情報１９１に応じた起動アプリケーションプログラムだけでなく、乗車位置情報及び端末所有者情報１９２に応じた起動アプリケーションプログラムを記憶させてもよい。
【００５８】
車載機器制御装置１３０の照合情報記憶部１３４には、図７に示すように、乗車位置情報及び端末所有者情報１９２に応じた制御を記憶させる。
【００５９】
例えば、乗車位置情報が大人で運転者登録のあるユーザＡの場合、制御として、端末所有者情報が運転席のときは車載端末自動設定を、助手席のときは運転者への着呼時転送登録を、後部座席のときは後部座席用車載端末個人登録コンテンツ起動を記憶させる。
【００６０】
また、大人で運転者登録のないユーザＢの場合、運転席のときはエンジン停止を、助手席のときは運転者への着呼時転送登録を、後部座席のときは後部座席用車載端末個人登録コンテンツ起動を記憶させる。
【００６１】
また、子供のユーザCの場合、運転席のときはエンジン停止を、後部座席のときは後部座席モニタ起動又は後部座席用車載端末子供用コンテンツ起動を記憶させ、助手席のときは未登録とする。
【００６２】
また、未登録者のゲストユーザであるユーザＸの場合、運転席のときはエンジン停止を、後部座席のときは後部座席用車載端末ゲスト用コンテンツ起動を記憶させ、助手席のときは未登録とする。
【００６３】
車載端末自動設定は、例えば、カーナビゲーションの、メニュー、目的地、画面等を運転席（座席３２０ａ）に応じた携帯端末装置１２０ａの端末所有者情報に応じて設定するものである。運転席に応じた携帯端末装置１２０ａの端末所有者情報に応じて設定するのは、カーナビゲーションの設定は運転席のユーザの好みが優先されるべきであるという考えによるものである。なお、運転席に応じた携帯端末装置１２０ａの端末所有者情報に応じた設定ではなく、助手席（座席３２０ｂ）に応じた携帯端末装置１２０ｂの端末所有者情報に応じた設定に変更することも可能である。
【００６４】
エンジン停止の制御は、エンジンが停止している時は、エンジン始動禁止の制御をし、すでにエンジンが動作しているときは、エンジンを停止するものである。
【００６５】
また、後部座席用車載端末個人登録コンテンツ起動は、搭載されるコンテンツとしては以下のようなものを想定している。例えば、ａ．カーナビゲーション、ｂ．カーオーディオ、ｃ．テレビ、ｄ．ビデオ再生、ｅ．テレビ電話、ｆ．インターネット接続(Ｗｅｂ、メール)。これらから個人の趣向を反映したものを個人登録コンテンツとする。例えば、ａ．カーナビゲーション：画面設定をユーザ毎に変える。ｂ．カーオーディオ：再生可能な曲の表示順をユーザ毎に変える。ｃ．テレビ：視聴可能なチャンネルの表示順をユーザ毎に変える。ｄ．ビデオ再生：視聴可能な映像コンテンツの表示順をユーザ毎に変える。ｅ．テレビ電話：発呼相手をユーザ毎に変える。ｆ．インターネット接続：アドレス帖、ブックマークをユーザ毎に変える。また、これらａ〜ｆのコンテンツを選択するトップメニューの表示順、表示内容をユーザ毎に切り替えてもよい。
【００６６】
また、後部座席モニタ起動は、車内に後部座席を撮影可能な車載カメラ１５４が設置されている場合に、子供のユーザが後部座席に乗車したことを検出すると、車載カメラ１５４が自動的に撮影を開始し、前部座席に設置された車載端末（カーナビゲーション用のディスプレイに相当する）又はユーザが所有する携帯端末装置１２０ａ、１２０ｂのいずれかの表示部４０８にて前部座席に乗車しているユーザが後部座席の様子をモニタ可能とするものである。これによって、前部座席に乗車しているユーザは、後部座席の子供の様子を、後ろを振り返ったり、バックミラーを調整したりする等の動作を行なわずに、簡単にモニタできるため、利便性を向上すことができる。
【００６７】
後部座席用車載端末子供用コンテンツ起動は、後部座席モニタ起動のａ〜ｆのコンテンツのうち、ビデオ再生、その中でも子供向けの映像コンテンツ再生のみできる等の制限を行なうものである。制限内容は、端末所有者情報に応じたカスタマイズが可能である。また、そのユーザ（子供）が前回乗車した時の映像コンテンツの続きを自動的に再生することも可能である。これによって、子供が乗車する場合に、親が許可したコンテンツのみ利用可能とする事で、子供が勝手に機器を操作せずに、子供にはふさわしくないと親が判断するコンテンツを子供が見る事ができないようにする等の設定を、ユーザが特に意識することなく設定可能であり、ユーザ（親）に安心感と利便性の向上を提供することができる。
【００６８】
また、後部座席用車載端末ゲスト用コンテンツ起動は、後部座席用車載端末子供用コンテンツ起動と同様で、家族等の登録されたユーザ以外が乗車した場合の車載端末の使用を制限することにより、ユーザ（特に、車の所有者）に対して利便性の向上を提供することができる。
【００６９】
以上のように、本実施の形態１の車載機器制御システムによれば、乗車位置情報及び端末所有者情報に応じて最適な機能またはサービスを提供することができ、車両乗車時の利便性を向上することができるという効果を有する。
【００７０】
（実施の形態２）
本実施の形態２は、携帯電話装置が、乗車位置情報通知装置宛てに端末所有者情報を送信する車載機器制御システムの場合である。
【００７１】
図８に示すように、本実施の形態２における車載機器制御システム８００は、携帯端末装置８２０ａ、８２０ｂ、８２０ｃ、８２０ｄと、乗車位置に対応づけられた乗車位置情報通知装置８１０ａ、８１０ｂ、８１０ｃ、８１０ｄと、車載機器制御装置８３０とを有する。
【００７２】
図９に示すように、携帯端末装置８２０ａは、乗車位置情報通知装置８１０ａとの無線通信の確立を確認して、座席３２０ａに応じた乗車位置情報通知装置８１０ａへの端末所有者情報８９６の送信を行う狭範囲無線通信部９０１と、携帯端末装置８２０ａに応じた端末所有者情報８９６の記憶を行う端末所有者情報記憶部４０２と、車載機器制御装置８３０からの乗車位置情報８９８の受信を行う無線通信部９０３と、受信した乗車位置情報８９８の一時的な記憶を行う一時記憶部４０４と、照合情報の記憶を行う照合情報記憶部４０５と、照合情報記憶部４０５に記憶された照合情報を参照しつつ受信した乗車位置情報８９８に応じて携帯端末装置８２０ａのアプリケーションプログラムの制御を行うアプリケーションプログラム制御部４０６と、入力部４０７と、表示部４０８とを有する。
【００７３】
なお、狭範囲無線通信部９０１は、乗車位置情報通知装置８１０ａへの端末所有者情報８９６の送信を行うだけでなく、乗車位置情報通知装置８１０ａからの乗車位置情報の受信も行う。
【００７４】
なお、携帯端末装置８２０ａのアプリケーションプログラム制御部４０６は、受信した乗車位置情報８９８に応じた携帯端末装置８２０ａのアプリケーションプログラムの制御だけでなく、受信した乗車位置情報及８９８及び端末所有者情報記憶部４０２に記憶された端末所有者情報に応じて携帯端末装置８２０ａのアプリケーションプログラムの制御を行う。
【００７５】
また、携帯端末装置８２０ｂ、８２０ｃ、８２０ｄも携帯端末装置８２０ａと同じ構成を有する。
【００７６】
図１０に示すように、乗車位置情報通知装置８１０ａは、乗車位置に応じた乗車位置情報の記憶を行う乗車位置情報記憶部２１１と、ユーザの座席３２０ａ近傍への乗車を検出する乗車検出部２２０と、座席３２０ａに応じた携帯端末装置８２０ａとの無線通信の確立を確認して端末所有者情報８９６の受信を行う狭範囲無線通信部１０１２と、車載機器制御装置８３０への乗車位置情報及び端末所有者情報８９７の送信を行う通信部１０３０とを有する。
【００７７】
また、乗車位置情報通知装置８１０ａは、携帯端末装置８２０ａからの端末所有者情報８９６の受信を行うだけでなく、携帯端末装置８２０ａへの乗車位置情報の送信を行うこともできる。
【００７８】
乗車位置情報通知装置８１０ｂ、８１０ｃ、８１０ｄも乗車位置情報通知装置８１０ａと同じ構成を有する。
【００７９】
乗車位置情報通知装置８１０ａ、８１０ｂ、８１０ｃ、８１０ｄは、具体的には車両の乗車スペースに図１１（ａ）に示すように配置され、座席３２０ａ、３２０ｂ、３２０ｃ、３２０ｄの各下に設けられている。
【００８０】
前述のように、乗車位置情報通知装置８１０ａが座席３２０ａの下に配置されるので、狭範囲無線通信部１０１２も、座席３２０ａの下に配置されることになる。狭範囲無線通信部１０１２は、ＲＦタグ等を利用しており、指向性を有し、例えば、上向きの指向性を有する。このとき、狭範囲無線通信部１０１２の無線通信範囲１１１０ａは、図１１（ｂ）に示すように、座席３２０ａの上付近となる。このようなＲＦタグの配置及び指向性を利用することによって、狭範囲無線通信部１０１２は、携帯端末装置８２０ａの狭範囲無線通信部９０１（図９参照）との無線通信と、携帯端末装置８２０ａからの端末所有者情報８９６の受信と、携帯端末装置８２０ａへの乗車位置情報の送信を行うことができる。さらに、狭範囲無線通信部１０１２は、携帯端末装置８２０ａの狭範囲無線通信部９０１（図９参照）との無線通信の確立を確認することによって、乗車位置情報通知装置８１０ａに対応する乗車位置へのユーザの乗車を検出することができる。
【００８１】
同様に、乗車位置情報通知装置８１０ｂ、８１０ｃ、８１０ｄの狭範囲無線通信部も上向きの指向性を有し、無線通信範囲１１１０ｂ、１１１０ｃ、１１１０ｄは、座席３２０ｂ、３２０ｃ、３２０ｄの各々の上付近となる。
【００８２】
以下では、乗車位置である座席３２０ａ（運転席）と、座席３２０ａに応じた乗車位置情報通知装置８１０ａと、座席３２０ａに応じた携帯端末装置８２０ａに着目して行う。他の乗車位置に着目しても同様である。
【００８３】
図１０において、乗車位置情報通知装置８１０ａ通信部１０３０は、車載機器制御装置８３０への乗車位置情報及び端末所有者情報８９７の送信を行う。通信部１０３０は、無線通信部を用いてもよいし、有線通信部を用いてもよい。
【００８４】
なお、乗車位置情報通知装置８１０ａの狭範囲無線通信部１０１２と乗車位置情報記憶部２１１は、図１０に別々の構成として示しているが、ハードウエアとしては別々に分けることもできるし、同一のＬＳＩ等の部品内に納めることもできる。
【００８５】
同様に、乗車位置情報通知装置８１０ａの狭範囲無線通信部１０１２と通信部１０３０は、図１０に別々の構成として示しているが、ハードウエアとしては別々に分けることもできるし、同一のＬＳＩ等の部品内に納めることもできる。
【００８６】
乗車検出部２２０は、感圧センサ等を利用する。感圧センサを座席３２０ａの下に埋め込むことによって、ユーザが乗車し、着席した時にその重さによって生ずる圧力を検出する。狭範囲無線通信部１０１２のほかに乗車検出部２２０を有することによって、乗車の検出を二重に行うことができるので、車両の走行中等のノイズの多い場合でも、座席３２０ａに応じた乗車位置情報の送信を携帯端末装置８２０ａに確実に行うことができる。なお、乗車検出部２２０は省略することもできる。
【００８７】
車載機器制御装置８３０は、図８に示すように、アンテナ１３１と、乗車位置情報通知装置８１０ａからの乗車位置情報及び端末所有者情報８９７の受信を行う通信部８３２と、照合情報の記憶を行う照合情報記憶部１３４と、照合情報記憶部１３４に記憶された照合情報を参照しつつ受信した乗車位置情報及び端末所有者情報８９７に応じた車載機器の制御を行う車載機器制御部１３５と、受信した乗車位置情報及び端末所有者情報８９７の一時的な記憶を行う一時記憶部１３６と、携帯端末装置８２０ａへの乗車位置情報８９８の送信を行う無線通信部８３２とを有する。
【００８８】
通信部８３２は、乗車位置情報通知装置８１０ａからの乗車位置情報及び端末所有者情報８９７の受信を行う。通信部８３２は、無線通信部を用いてもよいし、有線通信部を用いてもよい。
【００８９】
次に、車載機器制御システム８００の動作について、図１２に示すシーケンス図を参照して説明する。
【００９０】
ユーザが車両の乗車位置に乗車すると、携帯端末装置８２０ａは、携帯端末装置８２０ａの狭範囲無線通信部１１１０と乗車位置情報通知装置８１０ａの狭範囲無線通信部１０１２との間の無線通信の確立を確認することで、ユーザの乗車位置への乗車を検出する（ステップＳ１２０１）。次に、乗車位置情報通知装置８１０ａは、狭範囲無線通信部１０１２で、携帯端末装置８２０ａからの端末所有者情報８９６を受信する（ステップＳ１２０２）。次に、乗車位置情報通知装置８１０ａは、通信部１０３０から、車載機器制御装置８３０宛てに乗車位置情報及び端末所有者情報８９７を送信する（ステップＳ１２０３）。次に、車載機器制御装置８３０は、受信した乗車位置情報及び端末所有者情報８９７のうち、乗車位置情報８９８を、無線通信部１３２から、携帯端末装置８２０ａ宛てに送信する（ステップＳ１２０４）。次に、携帯端末装置８２０ａは、アプリケーションプログラム制御部４０６で、照合情報記憶部４０５に記憶された照合情報を参照しつつ、受信した乗車位置情報８９８に応じてアプリケーションプログラムを制御する（ステップＳ１２０５）。また、車載機器制御装置８３０は、車載機器制御部１３５で、照合情報記憶部１３４に記憶された照合情報を参照しつつ、受信した乗車位置情報及び端末所有者情報８９７に応じて車載機器群１５０の中の車載機器を制御する（ステップＳ１２０６）。
【００９１】
なお、図１２のシーケンス図では、携帯端末装置８２０ａが、携帯端末装置８２０ａの狭範囲無線通信部１１１０と乗車位置情報通知装置８１０ａの狭範囲無線通信部１０１２との間の無線通信の確立を確認することによって、ユーザの乗車位置への乗車を検出する場合について示したが、乗車位置情報通知装置８１０ａの乗車検出部２２０が、ユーザの重さによって生ずる圧力を検出することによって、ユーザの乗車位置への乗車を検出する場合もある。
【００９２】
車載機器制御システム８００の携帯端末装置８２０ａの照合情報記憶部４０５及び車載機器制御装置８３０の照合情報記憶部１３４の記憶内容並びにアプリケーションプログラム制御部４０６及び車載機器制御部１３５の制御は、実施の形態１のものと同じである。
【００９３】
以上のように、本実施の形態２の車載機器制御システムによれば、乗車位置情報及び端末所有者情報に応じて最適な機能またはサービスを提供することができ、車両乗車時の利便性を向上することができる。
【産業上の利用可能性】
【００９４】
本発明にかかる車載機器制御システム、乗車位置情報通知装置、携帯端末装置及び車載機器制御装置は、ユーザが意識して車載機器の制御を行うことなく、ユーザに最適な機能またはサービスを提供することができ、車両乗車時の利便性を向上することのできるという効果を有し、特に乗車位置情報通知装置及び携帯端末装置が狭範囲無線通信部を有する車載機器制御システム、乗車位置情報通知装置、携帯端末装置及び車載機器制御装置として有用である。
【図面の簡単な説明】
【００９５】
【図１】本発明の実施の形態１における車載機器制御システムの構成を示すブロック図
【図２】本発明の実施の形態１における車載機器制御システムの乗車位置情報通知装置を説明するためのブロック図
【図３】本発明の実施の形態１における車載機器制御システムの乗車位置情報通知装置の配置と指向性を説明するための図
【図４】本発明の実施の形態１における車載機器制御システムの携帯端末装置を説明するためのブロック図
【図５】本発明の実施の形態１における車載機器制御システムの動作を説明するためのシーケンス図
【図６】本発明の実施の形態１における車載機器制御システムの携帯端末装置の照合情報記憶部に記憶されている照合情報の一例を示す図
【図７】本発明の実施の形態１における車載機器制御システムの車載機器制御装置の照合情報記憶部に記憶されている照合情報の一例を示す図
【図８】本発明の実施の形態２における車載機器制御システムの構成を示すブロック図
【図９】本発明の実施の形態２における車載機器制御システムの携帯端末装置を説明するためのブロック図
【図１０】本発明の実施の形態２における車載機器制御システムの乗車位置情報通知装置を説明するためのブロック図
【図１１】本発明の実施の形態２における車載機器制御システムの乗車位置情報通知装置の配置と指向性を説明するための図
【図１２】本発明の実施の形態２における車載機器制御システムの動作を説明するためのシーケンス図
【符号の説明】
【００９６】
１００，８００  車載機器制御システム
１１０ａ，１１０ｂ，１１０ｃ，１１０ｄ，８１０ａ，８１０ｂ，８１０ｃ，８１０ｄ  乗車位置情報通知装置
１２０ａ，１２０ｂ，１２０ｃ，１２０ｄ，８２０ａ，８２０ｂ，８２０ｃ，８２０ｄ  携帯端末装置
１３０，８３０  車載機器制御装置
１３１  アンテナ
１３２，４０３，９０３  無線通信部
１３４，４０５  照合情報記憶部
１３５  車載機器制御部
１３６，４０４  一時記憶部
１５０  車載機器群
１５１  エンジン制御装置
１５２  車内環境制御装置
１５３  後部乗車位置用入出力装置
１５４  車載カメラ
１５５  入出力装置
１９１，８９８  乗車位置情報
１９２，８９７  乗車位置情報及び端末所有者情報
１９４  車載機器制御情報
１９５  照合情報
２１１  乗車位置情報記憶部
２１２，４０１，９０１，１０１２  狭範囲無線通信部
２２０  乗車検出部
３１０ａ，３１０ｂ，３１０ｃ，３１０ｄ，１１１０ａ，１１１０ｂ，１１１０ｃ，１１１０ｄ  狭範囲無線通信部の無線通信範囲
３２０ａ，３２０ｂ，３２０ｃ，３２０ｄ  座席
４０２  端末所有者情報記憶部
４０６  アプリケーションプログラム制御部
４０７  入力部
４０８  表示部
８３２，１０３０  通信部
８９６  端末所有者情報
【図１】
2006352409.tif 000003
【図２】
2006352409.tif 000004
【図３】
2006352409.tif 000005
【図４】
2006352409.tif 000006
【図５】
2006352409.tif 000007
【図６】
2006352409.tif 000008
【図７】
2006352409.tif 000009
【図８】
2006352409.tif 000010
【図９】
2006352409.tif 000011
【図１０】
2006352409.tif 000012
【図１１】
2006352409.tif 000013
【図１２】
2006352409.tif 000014